(57)【要約】【課題】通帳の背山の高さのばらつきによる影響を受けることなく、開いた状態で収納されている通帳を一冊ずつ繰り出すことができる通帳ユニットを提供する。【解決手段】通帳ユニット１は、通帳収納部５０から未使用の通帳１１を繰り出すとき、通帳１１の背山が通過するタイミングで、ゲート５６を一時的に下げる。したがって、通帳１１の背山がゲート５６に引っ掛かり、繰出の失敗するのを抑えられる。また、ゲート５６は、背山が通過するタイミングに応じて一時的に下げているので、複数の通帳１１が重なって繰り出されるのも防止できる。【選択図】図２
2010111448.tif 000002
【特許請求の範囲】
【請求項１】
通帳収納部に、開いた状態で収納されている通帳を繰り出す通帳繰出手段と、
前記通帳繰出手段が繰り出した通帳を搬送路に沿って搬送する通帳搬送手段と、
前記通帳繰出手段によって前記通帳収納部から前記搬送路へ繰り出される通帳が通過する隙間の厚さを規制するゲートを、この隙間の厚さを変化させる方向に駆動するゲート駆動手段と、
前記ゲートに隣接する前記搬送路側の位置を検知位置とし、通帳の有無を検知する検知手段と、
前記検知手段が前記通帳繰出手段によって前記通帳収納部から繰り出された通帳を検知した後に、前記ゲート駆動手段に前記ゲートを駆動させ、通帳が通過する隙間の厚さを一時的に広げるゲート駆動制御手段と、を備えた通帳ユニット。
【請求項２】
前記通帳繰出手段が前記通帳収納部から繰り出した通帳の背山が前記ゲートを通過したかどうかを判定する通過判定手段を備え、
前記ゲート駆動制御手段は、前記通過判定手段が前記通帳繰出手段が前記通帳収納部から繰り出した通帳の背山が前記ゲートを通過したと判定した後に、前記ゲート駆動手段に前記ゲートを駆動させ、通帳が通過する隙間の厚さを元に戻す手段である、請求項１に記載の通帳ユニット。
【請求項３】
前記通過判定手段は、通帳に対して繰出方向に定めている、通帳の背山を含む背山領域の先端、および後端のそれぞれについて、前記ゲートに達したかどうかを判定する手段であり、
前記ゲート駆動制御手段は、前記通過判定手段が前記背山領域の先端が前記ゲートに達したと判定したときに、前記ゲート駆動手段に前記ゲートを駆動させ、通帳が通過する隙間の厚さを一時的に広げ、その後、前記通過判定手段が前記背山領域の後端が前記ゲートに達したと判定したときに、前記ゲート駆動手段に前記ゲートを駆動させ、通帳が通過する隙間の厚さを元に戻す手段である、請求項２に記載の通帳ユニット。
【請求項４】
前記通過判定手段は、前記検知手段が前記通帳繰出手段によって前記通帳収納部から繰り出された通帳の先端を検知したタイミング、および前記通帳繰出手段による通帳の繰出量に基づいて、この通帳の背山と前記ゲートと、の位置関係を取得する手段である、請求項２、または３に記載の通帳ユニット。
【発明の詳細な説明】
【技術分野】
【０００１】
この発明は、銀行等の金融機関に設置される現金自動預け払い機（ＡＴＭ）や、記帳機等に適用される通帳ユニットに関する。
【背景技術】
【０００２】
従来、銀行等の金融機関に設置される現金自動預け払い機（ＡＴＭ）や、記帳機等には、取引内容を通帳に記帳する通帳ユニットが適用されている。従来の一般的な通帳ユニットは、利用者が挿入口に挿入した通帳を本体内部に取り込み、この通帳を受け付ける。通帳ユニットは、今回受け付けた通帳に対応する口座に対して過去に行われた取引も含めて、その時点で取引内容を印字していない取引毎に、その取引の取引内容を印字する。また、今回受け付けた通帳に対して取引内容を印字しているときに、その通帳の記帳欄（取引内容を印字する欄）が一杯になると、新通帳を発行し、今回受け付けた通帳に印字できなかった取引についての取引内容を、発行した新通帳に印字する。例えば、特許文献１において、通帳発行機能を有する装置が提案されている。
【０００３】
通帳発行機能を有する通帳ユニットは、未使用の通帳を開いた状態で重ねて通帳収納部に収納しており、新通帳を発行するときに、通帳収納部から未使用の通帳を繰り出す。また、通帳収納部から複数の通帳が重なった状態で繰り出されるのを防止するためにゲートを設けている。このゲートは、通帳収納部から繰り出された通帳が通過する隙間の厚さを規制する。通常、ゲートは、２冊の通帳が重なった状態で通過するのを阻止するために、この隙間の厚さが通帳１冊の厚さ以上で、且つ通帳２冊の厚さ未満の範囲で調整されている。
【特許文献１】特開昭６３-２１２６３５号公報
【発明の開示】
【発明が解決しようとする課題】
【０００４】
しかしながら、特許文献１等に記載されているように、従来の通帳ユニットは、ゲートにより、通帳収納部から繰り出された通帳が通過する隙間の大きさを予め調整しておく構成であった。発行する通帳（未使用の通帳）は、開いた状態で通帳収納部に収納している。このため、通帳収納部に収納されている通帳の中央部には、背山が生じている。また、この背山の高さは、ある程度の幅（１ｍｍ程度の幅）でばらつきがある。このため、通帳収納部から繰り出された通帳が通過する隙間を、背山が比較的低い通帳に合わせてゲートを調整していると、背山が比較的高い通帳が通帳収納部から繰り出されたときに、この通帳の背山がゲートに引っ掛かり、通帳の繰り出しに失敗する。一方、通帳収納部から繰り出された通帳が通過する隙間を、背山が比較的高い通帳に合わせてゲートを調整していると、背山が比較的低い複数の通帳が重なった状態で繰り出されてしまうことがある。
【０００５】
この発明の目的は、通帳の背山の高さのばらつきによる影響を受けることなく、開いた状態で収納されている通帳を一冊ずつ繰り出すことができる通帳ユニットを提供することにある。
【課題を解決するための手段】
【０００６】
この発明の通帳ユニットは、上記課題を解決し、その目的を達するために、以下のように構成している。
【０００７】
通帳は、開いた状態で通帳収納部に収納されている。通帳繰出手段が、通帳収納部に収納されている通帳を繰り出す。また、通帳搬送手段が、通帳繰出手段が繰り出した通帳を搬送路に沿って搬送する。
【０００８】
なお、通帳に文字や記号を印字する印字ヘッド、通帳に貼付されている磁気ストライプに対する磁気データの読取や記録を行う磁気ヘッド、通帳に印刷されているバーコード等を読み取るバーコードリーダ、通帳の頁を捲る頁捲りローラ等が、必要に応じて搬送路に沿って配置されている。
【０００９】
また、ゲート駆動手段が、通帳繰出手段によって通帳収納部から搬送路へ繰り出される通帳が通過する隙間の厚さを規制するゲートを、この隙間の厚さを変化させる方向に駆動する。例えば、ゲート駆動手段は、ゲートを駆動し、この隙間を第１の大きさと、第２の大きさと（第１の大きさ＜第２の大きさ）の間で変化させる。第１の大きさは、通帳１冊の厚さの１．１〜１．２倍程度にすればよい。また、第２の大きさは、第１の大きさに対して、通帳の背山のばらつきの幅（１ｍｍ程度）を加えた大きさにすればよい。また、検知手段が、ゲートに隣接する搬送路側の位置を検知位置とし、通帳の有無を検知する。検知手段は、検知位置において、通帳収納部から搬送路へ繰り出された通帳の先端や、後端を検知することができる。そして、ゲート駆動制御手段が、通帳繰出手段によって通帳収納部から繰り出された通帳を検知手段が検知した後に、ゲート駆動手段に前記ゲートを駆動させ、この通帳が通過する隙間の厚さを一時的に広げる（隙間を第２の大きさにする。）。
【００１０】
これにより、通帳収納部から繰り出された通帳の先端がゲートを通過するときには、通帳が通過する隙間の厚さを、２冊の通帳が重なった状態で通過するのを阻止できる厚さ（第１の大きさ）にでき、且つ、この通帳の背山がゲートを通過するときには、通帳が通過する隙間の厚さを、背山が比較的高い通帳であっても、その背山がゲートに引っ掛からない厚さ（第２の大きさ）にできる。したがって、通帳の背山の高さのばらつきによる影響を受けることなく、開いた状態で収納されている通帳を一冊ずつ繰り出すことができる。
【００１１】
また、通帳が通過する隙間は、通帳の背山がゲート位置を通過した後に、元に戻せばよい。通帳収納部から繰り出した通帳の背山と、ゲートと、の位置関係は、例えば、検知手段が通帳収納部から繰り出された通帳の先端を検知したタイミング、および通帳繰出手段による通帳の繰出量から取得できる。
【００１２】
なお、通帳の先端から背山までの長さは、検知手段の検知位置とゲートとの距離以上である。
【発明の効果】
【００１３】
この発明によれば、通帳の背山の高さのばらつきによる影響を受けることなく、開いた状態で収納されている通帳を一冊ずつ繰り出すことができる。
【発明を実施するための最良の形態】
【００１４】
以下、この発明の実施形態である通帳ユニットについて説明する。
【００１５】
図１は、この通帳ユニットの主要部の構成を示すブロック図である。また、図２は、この通帳ユニットの内部構成を示す概略図である。この通帳ユニット１は、図１に示すように、制御部２と、搬送部３と、検知部４と、通帳発行部５と、磁気データ処理部６と、印字部７と、バーコード読取部８と、頁捲り部９と、通信部１０と、を備えている。この通帳ユニット１は、銀行等の金融機関に設置される現金自動預け払い機（ＡＴＭ）や、記帳機等に適用される。この通帳ユニット１は、利用者の通帳を受け付け、その通帳に対応する口座に対して過去に行われた取引も含めて、その時点で取引内容を印字していない取引毎に、その取引の取引内容を印字する。また、今回受け付けた通帳に対して取引内容を印字しているときに、その通帳の記帳欄（取引内容を印字する欄）が一杯になると、新通帳を発行し、今回受け付けた通帳に印字できなかった取引についての取引内容を、発行した新通帳に印字する。
【００１６】
図１、および図２を参照しながら、各部の構成について説明する。制御部２は、通帳ユニット１本体各部の動作を制御する。通帳ユニット１には、通帳を搬送する搬送路が形成されている。搬送路には、主搬送路、および分岐搬送路がある。主搬送路は、利用者が通帳１１を挿入する挿入口１２と、通帳収納部５０と、を結ぶ搬送路である。分岐搬送路は、主搬送路と、回収／一時保留部３８とを結ぶ搬送路である。回収／一時保留部３８は、利用者が取り忘れた通帳１１の回収や、処理途中の通帳１１の一時保留等に利用される。主搬送路には、通帳１１を挟持して搬送する一対の搬送ローラ３１〜３６が適当な間隔で並べられている。また、分岐搬送路には、通帳１１を挟持して搬送する一対の搬送ローラ３７が設けられている。搬送部３は、図示していないモータ等の駆動源を有し、この駆動源で搬送ローラ３１〜３７を回転駆動する。搬送部３は、搬送ローラ３１〜３７を回転させる方向を切り替えることにより、通帳１１の搬送方向（挿入口１２側から通帳収納部５０側へ搬送する方向と、通帳１１を通帳収納部５０側から挿入口１２側へ搬送する方向）を切り替える。また、搬送部３は、主搬送路と分岐搬送路との分岐点に設けたフラッパ３９を駆動し、通帳１１の搬送先を切り替える。
【００１７】
検知部４は、通帳１１の有無を検知するセンサ４１を有している。図２では、後述する通帳収納部５０付近に配置したセンサ４１のみ図示しているが、センサは、挿入口１２付近や、主搬送路と分岐搬送路との分岐点付近等にも配置している。このセンサ４１が、この発明で言う検知手段に相当する。センサ４１は、例えば透過型の光センサであり、発光部と受光部とを搬送路を挟んで対向配置している。検知部４は、各センサ４１の検知結果に基づいて、搬送路上における通帳１１の位置を検知する。
【００１８】
通帳発行部５は、未使用の通帳１１を開いた状態で収納する通帳収納部５０を有している。通帳収納部５０に収納されている通帳１１は、ピックアップローラ５１に押圧されている。具体的には、図２に示すバネ５３の付勢力で押圧板５２を押し上げることにより、通帳収納部５０に収納されている通帳１１をピックアップローラ５１に押圧する構成である。通帳発行部５は、ピックアップローラ５１を図示していないモータで駆動し、通帳収納部５０に収納されている通帳１１を繰り出す。また、通帳発行部５は、通帳収納部５０から繰り出された通帳１１を、ゲートローラ５４とフィードローラ５５とで挟持して主搬送路に送り出す。ゲートローラ５４、およびフィードローラ５５は、図示していないモータによって駆動される。
【００１９】
なお、通帳発行部５には、通帳収納部５０に未使用の通帳１１が収納されているかどうか（通帳収納部５０が空であるかどうか）を検知するセンサ等も有している。
【００２０】
さらに、通帳収納部５０とゲートローラ５４（フィードローラ５５）との間には、通帳収納部５０から繰り出された通帳１１が通過する隙間の厚さを規制するゲート５６が設けられている。このゲート５６は、モータ５７によって図２中に矢示する上下方向に駆動される。ゲート５６を下げることにより、通帳１１が通過する隙間（ギャップ）が大きくなる。反対に、ゲート５６を上げることにより、通帳１１が通過する隙間（ギャップ）が小さくなる。
【００２１】
磁気データ処理部６は、主搬送路を搬送されている通帳１１に貼付されている磁気ストライプに当接し、この磁気ストライプに対する磁気データの読取や記録を行う磁気ヘッド６１を有している。磁気ストライプには、対応する口座の口座番号等が記録されている。また、印字部７は、主搬送路を搬送されている通帳１１に対して取引内容を印字する印字ヘッド７１を有している。バーコード読取部８は、主搬送路を搬送されている通帳１１の開かれている頁に印刷されているバーコード（頁番号等）を読み取るバーコードリーダ８１を有している。また、頁捲り部９は、主搬送路を搬送されている通帳１１の頁を捲る捲りローラ９１を有している。頁捲り部９は、捲りローラ９１を回転することにより、通帳１１の頁を捲る。さらに、通信部１０は、この通帳ユニット１が適用されているＡＴＭや記帳機等の上位装置の主制御部（不図示）との間における通信を行う。
【００２２】
この実施形態では、ピックアップローラ５１、ゲートローラ５４、フィードローラ５５等が、この発明で言う通帳繰出手段を構成する。また、モータ５７が、この発明で言うゲート駆動手段を構成する。
【００２３】
ここで、通帳収納部５０に収納する通帳１１について簡単に説明しておく。図３は、通帳の側面図である。この通帳ユニット１は、通帳１１を図３における左右方向に搬送する。図３において１１ａは表紙、１１ｂは中紙、１１ｃは裏表紙である。通帳１１は、図３に示す、表紙１１ａを開いた状態で通帳収納部５０に重ねて収納される。通帳１１は、搬送方向の長さがＬであり、搬送方向の略中央に背山が生じている。通帳１１の厚さ（中紙１１ｂ、および裏表紙１１ｃによる厚さ）は、ｔである。また、背山の高さはｓである。厚さｔについては、通帳１１間でのばらつきはごくわずかであるが、背山の高さｓについては、通帳１１間でのばらつきが比較的大きい（１ｍｍ程度の範囲でばらつきがある。）。
【００２４】
また、ここでは、通帳１１に対して背山領域を定めている。この背山領域は、通帳１１の搬送方向に、背山を含むある程度の範囲を定めている。例えば、図３に示すように、背山から搬送方向側に距離ａ１離れた位置から、背山から搬送方向と反対側に距離ａ２離れた位置までの範囲を背山領域と定めている。距離ａ１と、距離ａ２とは、同じ長さであってもよいし、異なっていてもよい。
【００２５】
なお、ゲート５６とセンサ４１の検知位置との距離は、通帳１１の先端から背山領域の先端までの長さ（Ｌ／２−ａ１）よりも長い。
【００２６】
次に、この通帳ユニット１の動作について説明する。図４は、この通帳ユニットの動作を示すフローチャートである。通帳ユニット１は、通帳１１が挿入口１２に挿入されると（ｓ１）、搬送部３が搬送ローラ３１〜３７を駆動し、挿入された通帳を本体内部に取り込む（ｓ２）。このとき、通帳ユニット１は、磁気データ処理部６が、磁気ヘッド６１を通帳１１に貼付されている磁気ストライプに当接させ、この磁気ストライプに記録されている磁気データ（口座番号等）を読み取るとともに、この磁気データを一時的にメモリ等に記憶する。また、バーコード読取部８が、今回挿入された通帳１１の開かれている頁に印刷されているバーコードをバーコードリーダ８１で読み取る。また、バーコード読取部８は、通帳１１の開かれている頁の印字済行の検知も行う。通帳ユニット１は、通信部１０で上位装置から通帳１１に印字する印字データを受信する（ｓ３）。ｓ３では、今回受け付けた通帳に対応する口座に対して過去に行われた取引も含めて、その時点で取引内容を印字していない取引毎に、その取引の取引内容にかかる印字データを受信する。
【００２７】
通帳ユニット１は、印字部７が印字ヘッド７１を制御して、上位装置から通知された印字データに基づく取引内容の印字を開始する（ｓ４）。通帳ユニット１は、現在印字している頁の記帳欄が一杯になるか、上位装置から通知された印字データに基づく印字が完了するのを待つ（ｓ５、ｓ６）。通帳ユニット１は、現在印字している頁の記帳欄が一杯になると、取引内容の印字を一時停止する（ｓ７）。そして、通帳ユニット１は、この通帳１１に未印字の頁があるかどうかを判定する（ｓ８）。通帳ユニット１は、通帳１１に未印字の頁があれば、頁捲り部９で通帳１１の頁を捲り（ｓ９）、上位装置から通知された印字データに基づく印字を再開し（ｓ１０）、ｓ５に戻る。一方、通帳１１に未印字の頁がなければ、新通帳を発行する通帳発行処理を行う（ｓ１１）。
【００２８】
図５は、ｓ１１にかかる通帳発行処理を示すフローチャートである。通帳ユニット１は、記帳欄が一杯になった通帳１１（今回挿入された通帳１１）を挿入口１２に搬送し、放出する（ｓ３１）。すなわち、今回挿入された通帳１１を利用者に返却する。このとき、磁気データ処理部６は、使用完了等にかかるデータを、この通帳１１の磁気ストライプに記録する。また、上位装置に対して、新通帳を発行する旨のメッセージを音声や映像で出力することを要求し、これから新通帳を発行することを利用者に認識させる。
【００２９】
通帳ユニット１は、ピックアップローラ５１、ゲートローラ５４およびフィードローラ５５を駆動し（ｓ３２）、通帳収納部５０に収納されている未使用の通帳１１を繰り出す。このとき、通帳ユニット１は、ゲート５６を、通帳収納部５０から繰り出された通帳１１（未使用の通帳）が通過する隙間の厚さが、通帳１１の厚さｔに応じた大きさ（例えば、ｔの１．１〜１．２倍程度の大きさ）になる位置（第１の位置）に調整している（図６（Ａ）参照）。したがって、ゲート５６により、通帳収納部５０から複数の通帳１１が重なった状態で繰り出されるのを防止できる。
【００３０】
通帳ユニット１は、検知部４のセンサ４１が通帳収納部５０から繰出された通帳１１の先端を検知すると（ｓ３３）、ピックアップローラ５１を停止する（ｓ３４）。ｓ３４では、ゲートローラ５４およびフィードローラ５５の駆動を停止しない。
【００３１】
通帳ユニット１は、今回通帳収納部５０から繰出した通帳１１の背山領域の先端がゲート５６に達すると（ｓ３５）、モータ５７を駆動し、ゲート５６を一定量β下げた第２の位置に移動する（ｓ３６）（図６（Ｂ）参照）。ｓ３５では、ｓ３３でセンサ４１が通帳１１の先端を検知した後における、ゲートローラ５４およびフィードローラ５５による通帳１１の繰出量が第１の量αに達したときに、通帳１１の背山領域の先端がゲート５６に達したと判定する。この第１の量αは、通帳１１の先端から背山領域の先端までの距離（Ｌ／２−ａ１）から、ゲート５６とセンサ４１の検知位置との距離Ｚを差し引いた長さである。また、一定量βは、通帳１１の背山の高さのばらつき幅に応じて設定すればよく、例えば１ｍｍ程度にすればよい。
【００３２】
通帳ユニット１は、その後、通帳１１の背山領域の後端がゲート５６に達すると（ｓ３７）、モータ５７を駆動し、ゲート５６を一定量β上げて第１の位置に戻す（ｓ３８）（図６（Ｃ）参照）。その後、検知部４のセンサ４１が今回繰り出した通帳１１の後端の通過を検知すると（ｓ３９）、ゲートローラ５４およびフィードローラ５５を停止する（ｓ４０）。通帳ユニット１は、今回通帳収納部５０から繰出した通帳１１を搬送部３により印字位置に搬送し（ｓ４１）、ｓ１０以降の処理を行う。
【００３３】
このように、この通帳ユニット１は、通帳収納部５０から繰出した通帳１１の背山領域がゲート５６を通過する間、ゲート５６を一定量β下げた第２の位置に移動するので、この通帳１１の背山がゲート５６に引っ掛かるのを防止できる。
【００３４】
通帳ユニット１は、ｓ６で上位装置から通知された印字が完了したと判定すると、ｓ２で通帳１１の磁気ストライプから読み取った磁気データを記録し（ｓ１２）、この通帳１１を挿入口１２に搬送し、放出する（ｓ１３）。ｓ１３では、今回挿入された通帳１１、または今回新規発行された通帳１１が放出される。
【００３５】
このように、この通帳ユニット１は、通帳収納部５０から未使用の通帳１１を繰り出すとき、通帳１１の背山が通過するタイミングで、ゲート５６を一時的に下げるので、通帳１１の背山がゲート５６に引っ掛かり、繰出の失敗するのを抑えられる。また、ゲート５６は、背山が通過するタイミングに応じて一時的に下げているので、複数の通帳１１が重なって繰り出されるのも防止できる。
【００３６】
また、ゲート５６を上げ下げするタイミングについては、上記以外のタイミングであってもよい。
【００３７】
また、新通帳１１を発行するときには、今回挿入された通帳１１を、回収／一時保留部３８に搬送し、新通帳への印字完了後に、これらの通帳１１を順番に挿入口１２に搬送し、放出する構成としてもよい。
【図面の簡単な説明】
【００３８】
【図１】通帳ユニットの主要部の構成を示すブロック図である。
【図２】通帳ユニットの内部構成を示す概略図である。
【図３】通帳の側面図である。
【図４】通帳ユニットの動作を示すフローチャートである。
【図５】通帳発行処理を示すフローチャートである。
【図６】通帳収納部から通帳を繰り出すときのゲートの制御を示す図である。
【符号の説明】
【００３９】
１−通帳ユニット
２−制御部
３−搬送部
４−検知部
５−通帳発行部
１１−通帳
５０−通帳収納部
５１−ピックアップローラ
５４−ゲートローラ
５５−フィードローラ
５６−ゲート
５７−モータ
【図１】
2010111448.tif 000003
【図２】
2010111448.tif 000004
【図３】
2010111448.tif 000005
【図４】
2010111448.tif 000006
【図５】
2010111448.tif 000007
【図６】
2010111448.tif 000008